(57)【要約】【課題】大きい力を吸収するのに好適な、および／または自動の螺合を行うのに好適な雌ねじ部品の製造方法、該雌ねじ部品、および該雌ねじ部品を含むねじ接続部を提供する。【解決手段】本発明の雌ねじ部品の製造方法は、内径Ｄｋの内径部３とこれよりも大きい内径Ｄｆの内径部５とを有するブランク１３をプレス加工で作製し、開口部１４にマンドレル１７を挿入し、ブランク１３にプレス加工を施して両方の内径部３，５の内径を同一とし、開口部１４からマンドレル１７を取り出し、両方の内径部３，５に雌ねじ４，６を加工して雌ねじ部２０，２１を形成し、雌ねじ部２０，２１に相対的な調節を施して螺合時に制動トルクが生じるように両方の雌ねじ部２０，２１を互いに位置決めし、雌ねじ部２０，２１を、軸方向の寸法が互いに同一になるように、かつ、その両端部の接触面の寸法が互いに同一になるように形成する。【選択図】図１
2012515651.tif 000002
【特許請求の範囲】
【請求項１】
第１の雌ねじ部（２０）および第２の雌ねじ部（２１）を有し、これら２つの雌ねじ部（２０，２１）を雄ねじ部品（１９）に螺合接合させた際に制動トルクが生じるように前記第２の雌ねじ部（２１）が前記第１の雌ねじ部（２０）に位置決めされた雌ねじ部品（１）を製造する方法であって、
−貫通孔として形成された開口部（１４）を備え、当該開口部（１４）が第１の内径（Ｄｋ）を持つ第１の内径部（３）と前記第１の内径（Ｄｋ）よりも大きい第２の内径（Ｄｆ）を持つ第２の内径部（５）とを有するブランク（１３）を、プレス加工で作製する工程と、
−前記開口部（１４）にマンドレル（１７）を挿入する工程と、
−前記ブランク（１３）にプレス加工を施し、好ましくは、当該プレス加工後の前記第１の内径部（３）および第２の内径部（５）が同一の内径を有するように、より好ましくは、当該プレス加工後の前記第１の内径部（３）および第２の内径部（５）がいずれも前記第１の内径（Ｄｋ）を有するようにプレス加工を施す工程と、
−前記開口部（１４）から前記マンドレル（１７）を取り出す工程と、
−前記第１の内径部（３）に第１の雌ねじ（４）を加工し、前記第２の内径部（５）に第２の雌ねじ（６）を加工することによって前記第１と第２の雌ねじ部（２０，２１）を形成し、好ましくは前記第１の雌ねじ部（２０）および前記第２の雌ねじ部（２１）が同一のピッチ、同一のねじ寸法、および同一の巻き方向を有するように形成し、より好ましくは当該第１の雌ねじ部（２０）および当該第２の雌ねじ部（２１）がメートルねじの雌ねじ（６）を有するように形成する工程と、
−前記第１と第２の雌ねじ部（２０，２１）に相対的な調節を施すことにより、両端部に接触面（２２，２３）を有する前記雌ねじ部品（１）を前記雄ねじ部品（１９）に螺合させた際に制動トルクが生じるように、前記第１の雌ねじ部（２０）のねじ巻き終端部（９）を前記第２の雌ねじ部（２１）のねじ巻き開始部（１１）に対して位置決めする工程と、
を含む、雌ねじ部品の製造方法において、
前記第１と第２の雌ねじ部（２０，２１）を、軸方向の寸法が互いに同一になるように、かつ、その前記両端部の接触面の寸法が互いに同一になるように形成することを特徴とする、雌ねじ部品の製造方法。
【請求項２】
請求項１において、前記雌ねじ部品（１）を、互いに同一の２つの対向する端部を有するように形成することを特徴とする、雌ねじ部品の製造方法。
【請求項３】
請求項１または２において、２つの前記雌ねじ部（２０，２１）の中実な材料からなるそれぞれの周壁の壁厚を、同一とすることを特徴とする、雌ねじ部品の製造方法。
【請求項４】
請求項１から３のいずれか一項において、前記第１と第２の雌ねじ部（２０，２１）の輪郭が長手方向軸心に対して垂直な平面を仮想対称面（Ｅ）とする対称となるように、前記ブランク（１３）にプレス加工を施すことを特徴とする、雌ねじ部品の製造方法。
【請求項５】
請求項１から４のいずれか一項において、前記ブランクを冷間プレス加工で作製すること、および／または、前記ブランクを、前記第１と第２の内径部（３，５）の軸方向の寸法が互いに同一になるように冷間プレス加工することを特徴とする、雌ねじ部品の製造方法。
【請求項６】
請求項１から５のいずれか一項において、前記マンドレル（１７）の直径が、少なくとも前記開口部（１４）内において、前記第１の内径（Ｄｋ）から最小限の遊びを減算したものに少なくともほぼ相当することを特徴とする、雌ねじ部品の製造方法。
【請求項７】
請求項１から６のいずれか一項において、前記第１と第２の内径部（３，５）が軸方向に互いに離れるように、好ましくはこれら内径部（３，５）間の内周に周溝（１２）が形成されるように、より好ましくは当該周溝（１２）が径方向外方の先端に集まるように、さらに好ましくは当該周溝（１２）の最大幅が約０．１ｍｍから約１ｍｍになるように、なおいっそう好ましくは当該最大幅が約０．３ｍｍから約０．７ｍｍになるように、前記ブランク（１３）にプレス加工を施すことを特徴とする、雌ねじ部品の製造方法。
【請求項８】
請求項１から７のいずれか一項において、前記第１と第２の内径部（３，５）間に、軸方向部（１６）、好ましくはテーパ状の軸方向部、より好ましくは前記第１の内径部（３）の方向にテーパする軸方向部が設けられるように、前記ブランク（１３）をプレス加工で作製することを特徴とする、雌ねじ部品の製造方法。
【請求項９】
請求項１から８のいずれか一項において、前記第１と第２の雌ねじ部（２０，２１）に対し、軸方向において互いに向かう方向に、および／または周方向に所定の調節を施すことを特徴とする、雌ねじ部品の製造方法。
【請求項１０】
請求項１から９のいずれか一項において、前記第１と第２の雌ねじ部（２０，２１）に相対的な調節を施すことにより、前記第１と第２の内径部（３，５）間にねじピッチのとぎれが生じるように前記第１の雌ねじ部（２０）の前記ねじ巻き終端部（９）を前記第２の雌ねじ部（２１）のねじ巻き開始部（１１）に対して軸方向に位置決めすることを特徴とする、雌ねじ部品の製造方法。
【請求項１１】
請求項１から１０のいずれか一項において、前記第１の雌ねじ部（２０）の前記ねじ巻き終端部（９）が前記第２の雌ねじ部（２１）のねじ巻き開始部（１１）に対して周方向にオフセットするように、前記第１と第２の雌ねじ部（２０，２１）に相対的な調節を施すことを特徴とする、雌ねじ部品の製造方法。
【請求項１２】
請求項１から１１のいずれか一項において、前記第１の雌ねじ部（２０）の前記ねじ巻き終端部（９）と前記第２の雌ねじ部（２１）の前記ねじ巻き開始部（１１）との間の軸方向間隔が、前記第１の雌ねじ部（２０）および前記第２の雌ねじ部（２１）のねじピッチよりも大きくもしくは小さくなるように、および／または、前記第１の雌ねじ部（２０）および前記第２の雌ねじ部（２１）のねじピッチの整数倍よりも大きくもしくは小さくなるように、前記第１と第２の雌ねじ部（２０，２１）に相対的な調節を施すことを特徴とする、雌ねじ部品の製造方法。
【請求項１３】
請求項１から１２のいずれか一項に記載の製造方法によって製造された雌ねじ部品。
【請求項１４】
請求項１３において、前記第１と第２の雌ねじ部（２０，２１）間の周溝（１２）の最大幅（ａ）が約０．１ｍｍから約１ｍｍ、好ましくは約０．３ｍｍから約０．７ｍｍであること、および／または前記周溝（１２）の溝底における周壁（１５）の壁厚が前記第１と第２の雌ねじ部（２０，２１）における当該周壁（１５）の壁厚の約２０％から約７５％、好ましくは約２５％から約７０％、より好ましくは３５％から約６５％であることを特徴とする、雌ねじ部品。
【請求項１５】
請求項１２に記載の雌ねじ部品（１）が、雄ねじ部品（１９）に対し、当該雌ねじ部品（１）とその雄ねじ部品（１９）との間で制動トルクが作用するように螺合されたねじ接続部。
【発明の詳細な説明】
【技術分野】
【０００１】
本発明は、請求項１の前提部に記載された第１の雌ねじ部および第２の雌ねじ部を有する雌ねじ部品の製造方法、特に、ナットの製造方法、このような製造方法で製造される請求項１３に記載された雌ねじ部品、およびこのような雌ねじ部品を含む請求項１５に記載されたねじ接続部に関する。
【背景技術】
【０００２】
単一の雌ねじ部を有する従来のナットの課題は、時間が経つにつれてねじからナットが緩む点であり、例えば、装置に設けられたナットは、当該装置の動作時の振動などによって経時的に緩む。これは安全性に影響を及ぼす。
【０００３】
上記のような短所を解消するために、特許文献１から、不測の緩みを自律的に防止するねじナットが知られている。この目的のために、その公知のねじナットは、軸方向に互いに離れた２つの雌ねじ部を有しており、雌ねじ部間には、金属切削によって内周に沿って凹部が設けられている。制動作用は、前記凹部が加工されたことによって雌ねじピッチにとぎれ（jump）が生じ、その２つの雌ねじ部で共通の雄ねじ部品を締めた際に、当該雌ねじ部が互いに向かって軸方向に移動して、前記雄ねじ部品のねじ巻き内に軸方向に（若干）締めつけられることで得られる。この公知のねじナットの短所は、当該ねじナットを必ず金属切削で製造しなければならない点である。
【０００４】
特許文献２からは、制動作用が成形工程だけで得られる改良ねじナットが知られている。この目的を達成するために、ブランクにおいて軸方向の隣りに位置する内径部よりも壁厚が薄くされた正面の内径部をフランジ加工することにより、互いに同一の内径を有する２つの内径部が得られる。これら２つの内径部は、軸方向の長さおよび壁厚が互いに異なる。この公知のねじナットの短所は、大きい力を吸収するのに好適でない点と、自動スクリュードライバー（ロボット）による自動螺合に適していない点である。目的を達成するために、この公知のねじナットは、ねじ接続部の常に同じ位置に制動トルク（ねじの回転を制動する）が作用するようにそのねじナットを所定の向きで送り込む必要があり、かつ、そのねじナットを「所定の」接触面（支持面）で軸方向に自立支持させる必要がある。
【先行技術文献】
【特許文献】
【０００５】
【特許文献１】独国特許発明第４９０８８９号明細書
【特許文献２】米国特許第２５３９８９９号明細書
【発明の概要】
【発明が解決しようとする課題】
【０００６】
本発明の目的は、比較的大きい力を吸収するのに好適な、および／または自動スクリュードライバーを使用するのに好適な、セルフロック式の雌ねじ部品の製造方法を提供することである。さらなる目的は、このような製造方法で製造された雌ねじ部品、およびこのような雌ねじ部品を用いたねじ接続部を提供することである。
【課題を解決するための手段】
【０００７】
製造方法にかかる上記目的は、請求項１に記載された構成によって達成され、雌ねじ部品にかかる目的は、請求項１３に記載された構成によって達成され、ねじ接続部にかかる目的は、請求項１５に記載された構成によって達成される。本発明の他の有利な改良形態は、従属請求項に記載されている。本発明の範囲には、明細書および／または特許請求の範囲および／または図面に開示された少なくとも２つの特徴のあらゆる組合せが含まれる。重複記載を避けるために、発明物について開示された特徴は、方法についても開示されたものとし、また、方法に関する請求項に記載可能であるとする。同様に、方法について開示された特徴は、発明物についても開示されたものとし、また、発明物に関する請求項に記載可能であるとする。
【０００８】
自動で完全に螺合させることができ、且つ制動トルクを生成するねじナット（雌ねじ部品）を提供するために、本発明は、２つの互いに同一の接触面（好ましくは、リング状の接触面）が互いに対向する端部にそれぞれ設けられたことにより、螺合時の螺合方向または向きに関係なく接触面の面圧が互いに同一となる、金属切削を必要とせずに製造可能な雌ねじ部品を提案する。さらに、本発明は、各雌ねじ部の軸方向の寸法が互いに同一になるように形成する。これにより、制動トルクは、そのような雌ねじ部品を用いた本発明にかかるねじ接続部の常に同じポイントに作用する。特許文献２から知られた方法では、そのような雌ねじ部品を製造できない。というのも、軸方向部をフランジ加工するので、各端部の接触面が常に不均一になるからである。これに加えて、この公知の方法で製造されるねじナットは、軸方向の大きな力を吸収することができず、これは、特に、フランジ加工された軸方向部の壁厚が薄いことに起因する。本発明にかかる雌ねじ部品の好ましいさらなる改良形態において、両方の雌ねじ部の径方向厚さは同一であり、より好ましくは、これら２つの雌ねじ部の径方向厚さは、それらの軸方向の全体にわたって同一である。これにより、特許文献２に記載された実施形態のような、薄肉にするリング状の溝を、うまくなくすことができる。
【０００９】
本発明の解決手段のさらなる重要な特徴は、金属切削工程の代わりに成形工程のみで、雌ねじ部間を隔てる周溝を内周に形成することができ、制動トルク作用が得られる点である。これを達成するために、第１の方法工程では、貫通孔（好ましくは、段差状の貫通孔）または段差状の有底孔として形成された開口部を備え、当該開口部が第１の内径部および第２の内径部を有し、これら２つの内径部は内径の寸法が互いに異なっており、第１の内径部の第１の内径が第２の内径部の第２の内径よりも小さいブランクが、プレス加工、好ましくは冷間プレス加工によって作製される。好ましくは、前記第１の内径は、後に形成される両方の雌ねじ部の山径に相当する。
【００１０】
第２の方法工程では、前記ブランクの前記開口部（特には、貫通孔または有底孔の開口部）に、堅牢なマンドレルが導入され、好ましくは、前記開口部が貫通孔として形成される場合には前記マンドレルは当該開口部を貫通する。第２の方法工程のマンドレルの挿入後の第３の方法工程として、前記ブランクにプレス加工を施し、好ましくは、当該プレス加工後の両方の内径部が互いに同一の内径を有するように、より好ましくは、当該同一の内径が前記ブランクの前記第１の内径に相当するようにプレス加工を施す第２のプレス加工工程、好ましくは第２の冷間プレス加工工程が実行される。この工程では、後述するように、例えば、前記マンドレルの直径を、前記第１の内径部の前記第１の内径から最小限の遊びを減算したものに少なくともほぼ相当するものとしてもよい。これにより、前記開口部への前記マンドレルの挿入が可能となる。
【００１１】
上述の（第２の）プレス加工工程（第３の方法工程）後、前記開口部から前記マンドレルを取り出し、２つの前記内径部に雌ねじを加工（好ましくは、ねじ転造または切削）する。好ましくは、前記雌ねじ（場合によっては、前記内径部の軸方向の寸法にわたって形成されている）は、互いに同一であり、すなわち、ねじピッチ、ねじの種類、またはねじ寸法が互いに異ならない。このように、ねじ山を有さない前記内径部に雌ねじを加工することにより、前記雌ねじ部が形成される。
【００１２】
その次の（第４の）方法工程として、前記内径部から形成された前記雌ねじ部に、相対的な調節が施される。この相対的な調節は、前記雌ねじ部品を雄ねじ部品に螺合させた際に制動トルク（保持トルク、ロックトルク）が生じるように、当該相対的な調節後の前記第１の雌ねじ部のねじ巻き終端部、または前記第２の雌ねじ部に対向する第１の雌ねじのねじ巻き終端部を、前記第２の雌ねじ部のねじ巻き開始部、または前記第１の雌ねじ部に対向する第２の雌ねじのねじ巻き開始部に対して位置決めする（好ましくは、互いに離す）ものである。
【００１３】
さらに好ましくは、２つの前記雌ねじ部のピッチおよびねじ寸法は互いに同一である。なおいっそう好ましくは、両方の雌ねじ部は互いに同一のねじ（例えば、メートルねじ）を有する。
【００１４】
本発明の思想に基づく上述の製造方法により、金属切削を必要とせずに、高精度で再現性が良く且つ最適な製造コストでセルフロック式の雌ねじ部品を、必要に応じて大量生産することができる。好ましくは、２つの前記雌ねじ部の相対的な調節は、制動トルク（ロックトルク、保持トルク）を再現性良く確実に得るために所定の力で行われる。このようにして得られるねじナットは、大きな力を吸収するのに適しており、かつ、自動でも完全に螺合させることができる。
【００１５】
本発明のさらなる好ましい改良形態では、２つの接触面（より好ましくは、それぞれ、長手方向軸心に対して垂直な平面に位置している）の寸法が同一であり、より好ましくは当該２つの接触面が同一に形成されているだけでなく、両端部の全体が互いに同一に形成されている。特に好ましくは、雌ねじ部品（場合によっては、その雌ねじが形成されている範囲）は、長手方向軸心に対して垂直な平面を鏡対称面とする鏡対称である。これにより、雌ねじ部品は、どの向きで雄ねじ部品と螺合されても、同一の効果をもたらす。
【００１６】
特に好ましい一実施形態において、２つの前記雌ねじ部は、互いに同一の壁厚を有すると同時に、それらの周壁には溝も中空空間も形成されていない。すなわち、特許文献２とは異なり、リング状の溝がフランジ加工によって内周に形成されていない。周壁を中実な材料からなるものとし且つ両方の雌ねじ部の厚さを互いに同一に設定することにより、自動の螺合を行うのに最適な制動トルクねじナット（ロックトルク雌ねじ部品）が得られる。
【００１７】
より好ましい一実施形態では、２つの前記雌ねじ部は、それらの外周において互いに同一の輪郭を有しており、すなわち、当該２つの雌ねじ部は、それらの輪郭が雌ねじ部品の長手方向軸心に対して垂直な平面を仮想対称面とする対称となるように形成される。
【００１８】
本発明のさらなる好ましい実施形態において、雌ねじ部品を製造するための少なくとも１つのプレス加工工程、好ましくは全てのプレス加工工程が、冷間プレス加工であり、すなわち、ブランクは冷間プレス加工によって得られ、および／または冷間プレス加工によって互いに異なる寸法を有する２つの内径部が形成される。好ましくは、この構成に加えて、または変形例として、前記接触面（特には、リング状の接触面）が冷間プレス加工によって形成される。
【００１９】
より好ましくは、第２の方法工程で前記ブランクの開口部に挿入されるマンドレルは、少なくとも前記開口部内に配される部分が円筒状に形成されている。さらに好ましくは、前記マンドレルは、前記開口部において前記第１の内径部の形状に合致するように形成されている。
【００２０】
冒頭で述べたように、使用されるマンドレルは、前記第１の内径部の前記第１の内径にほぼ相当する直径を有しているのが特に好都合である。
【００２１】
本発明のさらなる好ましい改良形態において、前記開口部に前記マンドレルが収容された状態で前記ブランクに施されるプレス加工（第３の方法工程）により、このプレス加工を施した後であって相対的な調節が施される前の内径部は、軸方向に互いに離れている。より好ましくは、このプレス加工は、（当該プレス加工後の）前記内径部間に周溝が形成されるように、さらに好ましくは当該周溝が径方向外方の先端に集まるように、なおいっそう好ましくは当該周溝の断面が三角形状になるように施される。変形例として、他の断面形状になるように施されてもよい。前記周溝により、軸方向のある程度のばね効果を確保することができ、かつ、前述の相対的な調節を前記内径部に施して所望の制動トルクを設定することができる。
【００２２】
前記製造方法の特に好都合な一実施形態において、プレス加工、好ましくは冷間プレス加工で作製されたブランクは、前記第１の内径部と前記第２の内径部（好ましくは、いずれも円状の輪郭の開口部を内側に有する）との軸方向の間に、前記第１の内径部の方向にテーパする軸方向部、より好ましくは前記第１の内径部の方向に円錐状にテーパする（直径が次第に減少する）軸方向部を有するように形成されている。このようにして作製されたブランクは、前述のテーパする部分と前記第２の内径部との間の遷移部が、後のプレス加圧工程時に曲がるかまたは（特に、スチール製の場合）流動する。２つの前記内径部は、そのプレス強度に応じて、端部で軸方向に互いに直接圧接するか、あるいは、当該内径部間に前述の周溝を形成する。他の実施形態では、前記内径部間にテーパ状の軸方向部は設けられず、互いに異なる内径を有する内径部が互いに直接重なり合い、段差部が形成される。また、円錐状ではなく、例えば、凹状、凸状などの他の輪郭の軸方向部が、遷移部として設けられてもよい。
【００２３】
既述したように、セルフロック機能を得るために雌ねじ部に施される相対的な調節には、様々な選択肢がある。好ましくは、この目的のために、前記雌ねじ部に対し、軸方向の調節は、当該雌ねじ部の互いに向かう方向に施される。軸方向の調節に加えて、または変形例として、ねじり加工、すなわち、雌ねじ部に対する相対的な周方向の調節が施されてもよい。雌ねじ部品の特に好ましい一実施形態では、前記雌ねじ部間または前記雌ねじ部の雌ねじ間にねじピッチのとぎれ（jump）が生じるように、前記第１の雌ねじ部が、当該第１の雌ねじ部と隣合う前記第２の雌ねじ部のねじ巻き開始部から離されることにより、制動トルクが得られる。すなわち、２つの前記雌ねじ部（好ましくは、互いに同一のねじピッチを有する）は、それらのねじ山がねじ巻き方向に正確に互いに合致していないので、第１の雌ねじ部および第２の雌ねじ部に対する共通の雄ねじ部品と当該第２の雌ねじ部との螺合時の接触により、雄ねじ部品のねじ山間に締めつけられて制動トルクが生じる。
【００２４】
ねじ巻きの前記とぎれは、例えば、前記第１の雌ねじ部のねじ巻き終端部を前記第２の雌ねじ部のねじ巻き開始部から軸方向に離すことによって実現してもよい。好ましくは、前記第２の雌ねじ部のねじ巻き開始部に対する前記第１の雌ねじ部のねじ巻き終端部の周方向のオフセットは、これらの雌ねじ部に相対的な軸方向の調節を施すことによって製造時に自動的に達成される。すなわち、前記第１の雌ねじ部のねじ巻き終端部の周方向中心が前記第２の雌ねじ部のねじ巻き開始部の周方向中心に対してオフセットされることにより、雌ねじのとぎれが形成される。また、雌ねじ部品の製造時に雌ねじ部に相対的なねじり加工を施すことにより、前記第１の雌ねじ部のねじ巻き終端部を前記第２の雌ねじ部のねじ巻き開始部に対して周方向にオフセットさせてもよい。軸方向のオフセット量および／または周方向のオフセット量の選択しだいで、制動トルクの大きさを設定することができる。好ましくは、前記雌ねじ部間で設定される軸方向間隔、詳細には、前記第１の雌ねじ部のねじ巻き終端部と前記第２の雌ねじ部のねじ巻き開始部との間で設定される軸方向間隔が、前記雌ねじ部のねじピッチに正確に一致せず、かつ、前記雌ねじ部のねじピッチの整数倍に正確に一致しないように、雌ねじ部は雌ねじ部品の製造時に互いに位置決めされる。もし前記軸方向間隔が前記雌ねじ部のねじピッチまたはねじピッチの整数倍に合致していたならば、雌ねじ部品の両方の雌ねじ部で雄ねじ部品を螺合させても、制動トルク作用は生じない。ねじピッチとは、雌ねじ部品を一回転させた際に雌ねじ部が雄ねじ部品に対して軸方向に移動する軸方向距離のことを指す。
【００２５】
雌ねじ部品の好ましい一実施形態において、２つの前記雌ねじ部は、それぞれ、メートルねじの雌ねじである。
【００２６】
本発明は、さらに、前述の製造方法で製造される雌ねじ部品を提供する。好ましくは、この雌ねじ部品の特徴は、制動トルク作用が、金属切削によってもたらされるものでない点である。さらに好ましくは、当該雌ねじ部品の両方の雌ねじ部間には、金属切削によって形成されたものでない周溝が内周に設けられている。本発明にかかる雌ねじ部品の特徴は、軸方向に隣合う２つの雌ねじ部の軸方向の寸法が互いに同一であり、かつ、軸方向に螺合させた際に被接触部材と接触する２つの接触面（好ましくは、リング状の接触面）の寸法が互いに同一な点である。これにより、本発明にかかる雌ねじ部品（ねじナット）は、最初に所定の向きに配置する必要がなく、自動での処理や自動スクリュードライバーの使用に極めて適している。
【００２７】
本発明は、さらに、完全に自動で螺合させることのできる制動雌ねじ部品（ロック雌ねじ部品）を提供する。
【００２８】
好ましくは、前記周溝の幅（より好ましくは、当該周溝の２つの最小径部の幅）は、約０．１ｍｍから約１ｍｍから選択され、より好ましくは約０．３ｍｍから約０．７ｍｍから選択される。すなわち、２つの前記雌ねじ部を隔てる前記周溝の軸方向の最大の寸法は、上記の数値範囲から選択される。このような小さい溝断面は、金属切削ではほぼ実現不可能である。前記雌ねじ部間にこのような狭幅の周溝を有する雌ねじ部品は、軸方向の最小限の寸法、または許容荷重支持量の増大（すなわち、一定の軸方向の範囲内に存在するねじ山によって支持可能な荷重の増大）を特徴とする。
【００２９】
雌ねじ部品の特に好都合な一実施形態では、周壁における溝底の部分の壁厚、すなわち、周溝において最も深い部分である、周壁で最も薄肉な領域の壁厚は、当該雌ねじ部品における前記雌ねじ部の部分の周壁の壁厚の約２０％から約７５％である。より好ましくは、前記壁厚、すなわち、前記周壁における前記溝底の部分の径方向の寸法は、前記雌ねじ部の周壁の壁厚の約２５％から約７０％、さらに好ましくは３５％から６５％である。
【００３０】
好ましくは、前記周壁における溝底の部分の壁厚、すなわち、前記溝底の部分に残っている周壁の壁厚は、前記雌ねじ部品を整合する雄ねじ部品に螺合させた際に当該雌ねじ部品が弾性作用を示すように、好ましくは前記雌ねじ部品を整合する雄ねじ部品に螺合させた際に雌ねじ部品が弾性的に約０．１ｍｍから約０．３ｍｍ引っ張られるように選択される。これにより、雌ねじ部品は、様々な多数の用途に対して有用である。また、これにより、本発明にかかる雌ねじ部品を含むねじ接続部では、固着を防ぐことができる。また、雄ねじ部品に螺合させた際には、弾性的な引張作用が生じて、ねじ接続部から遊びがなくなるので、所望の制動トルクが得られる。より好ましくは、前述の弾性作用を得るために、前記周壁における溝底の部分の壁厚は、前記雌ねじ部の領域の前記周壁の壁厚の約２０％から約７５％、さらに好ましくは約２５％から約７０％、なおいっそう好ましくは３５％から約６５％である。
【００３１】
本発明は、さらに、前述の雌ねじ部品を含み、その２つの雌ねじ部品によって共通の雄ねじ部品が螺合されたねじ接続部に関する。好ましくは、この場合、両方の雌ねじ部間にねじ山のとぎれ（jump）が形成されており、これにより、第２の雌ねじ部を雄ねじ部品に螺合させた際に、ねじ巻きに軸方向の締めつけが生じる。
【図面の簡単な説明】
【００３２】
【図１】第１の雌ねじ部および第２の雌ねじ部に対する軸方向の調節のみで、これら２つの雌ねじ部が軸方向に互いに離され、かつ、第１の雌ねじ部のねじ巻き終端部が軸方向に離れた第２の雌ねじ部のねじ巻き開始部に対してオフセットし、かつ、前記雌ねじ部間の内周に周溝が形成されている雌ねじ部品の例示的な一実施形態の概略図である。
【図２ａ】図１に例示した雌ねじ部品を製造するための、好ましい一製造方法の方法工程の図である。
【図２ｂ】図１に例示した雌ねじ部品を製造するための、好ましい一製造方法の他の方法工程の図である。
【図２ｃ】図１に例示した雌ねじ部品を製造するための、好ましい一製造方法のさらなる他の方法工程の図である。
【図３】ナットの形態の雌ねじ部品を含むねじ接続部を示す概略図である。
【発明を実施するための形態】
【００３３】
本発明のさらなる利点、特徴、および詳細は、図面を参照しながら行う、好ましい例示的な実施形態についての以下の説明から明らかになる。
【００３４】
図１に雌ねじ部品１を示す。図示の雌ねじ部品は、外周（外表面）にスパナ用の二面ペア２を含むねじナット（ナット）として形成されている。
【００３５】
図１に示すように、雌ねじ部品１には、第１の雌ねじ４を持つ第１の雌ねじ部２０が設けられている。第１の雌ねじ部２０の軸方向には、第２の雌ねじ６を持つ第２の雌ねじ部２１が隣合う（図示の例では、軸方向に互いに離れている）。両方の雌ねじ４，６は互いに同一であり、すなわち、両方の雌ねじ４，６は互いに同一の巻き方向、同一のピッチ、および同一のねじ寸法を有している。雌ねじ部２０，２１は、雌ねじ４，６を加工することで形成される。また、図１に示すように、雌ねじ部２０，２１の軸方向の寸法は互いに同一である。さらに、雌ねじ部２０，２１の周壁の壁厚の寸法（径方向寸法）も互いに同一である。この周壁は、中実な材料で構成されており、特許文献２に記載された雌ねじ部品とは異なり、軸方向に延設されたリング状の溝を有していない。
【００３６】
また、図１に示すように、雌ねじ部品１（場合によっては、雌ねじ以外の部分）は、当該雌ねじ部品１の長手方向軸心に対して垂直な平面を鏡対称面Ｅとする対称に構成されている。
【００３７】
これに加えて、互いに対向する２つの接触面（支持面）２２，２３は同一の寸法であり、雌ねじ部品１は、当該接触面２２，２３によって軸方向に自立支持することができる。図示の実施形態では、これら互いに対向する端部の全体の形状が同一である。
【００３８】
本発明の思想にしたがって作製される雌ねじ部品（ロック雌ねじ部品）は、自動スクリュードライバーを使用するのに最適である。
【００３９】
さらに図１に示すように、２つの雌ねじ部２０，２１の内径（山径および有効径）は互いに同一である。いずれの雌ねじ部２０，２１も、一体品である雌ねじ部品１に形成されており、かつ、リング状の連結部（薄肉部）７を介して互いに一体的に連結されている。連結部７の壁厚は雌ねじ部２０，２１の壁厚よりも小さい。連結部７の壁厚の大きさにより、当該連結部７の軸方向のばね効果が決まる。
【００４０】
第１の雌ねじ部２０の第１の雌ねじ４は、ねじ巻き終端部９を含む第１のねじ巻き８（分かり易くするため、一部しか図示しない）を有している。第２の雌ねじ部２１の第２の雌ねじ６は、第１の雌ねじ部２０に対向するねじ巻き開始部１１を含む第２のねじ巻き１０（分かり易くするため、一部しか図示しない）を有している。雌ねじ部２０，２１を一緒に雄ねじ部品（図示せず）に螺合させた際に制動トルクが生じるように、第１の雌ねじ部２０のねじ巻き終端部９は第２の雌ねじ部２１のねじ巻き開始部１１に対して位置決めされている。
【００４１】
図１に示すように、雌ねじ部２０，２１のねじ巻き８，１０間にはねじピッチのとぎれ（jump）が形成されている。このねじピッチのとぎれがなければ、第２のねじ巻き１０は、図示の点線で示すように、第１のねじ巻き８とねじ巻き方向が合致するので、雌ねじ部２０，２１を一緒に雄ねじ部品に螺合した際に制動トルクは生じない。第１の雌ねじ部２０のねじ巻き終端部９と第２のねじ巻き１０のねじ巻き開始部１１との間隔はねじ巻き８，１０のピッチと（若干）異なる。そのため、雌ねじ部２０，２１を一緒に雄ねじ部品に螺合させると、軸方向に締めつけが生じ、制動トルク、すなわち、ロックトルク（保持トルク）が生じる。また、図１に示すように、ねじ巻き終端部９の周方向中心とねじ巻き開始部１１の周方向中心とは同一の周方向角度に正確に位置しておらず、むしろ、前述のねじピッチのとぎれにより、周方向に互いに（若干）オフセットしている。
【００４２】
図１に示す雌ねじ部２０，２１のねじ巻き８，１０の位置決めは、これらに相対的な調節を施すことによって、この例では、互いに向かう方向に調節が施されている。このような相対的な調節は、断面視で三角形状の輪郭を有する周溝１２によって雌ねじ部２０，２１が軸方向に互いに離されていることにより可能となる。周溝１２は、後述するように、金属切削ではなくて成形のみによって形成されている。この周壁の最大幅ａ、すなわち、溝において最も幅広な部分の軸方向の寸法は、約０．１ｍｍから約１ｍｍであり、特に好ましくは約０．５ｍｍである。
【００４３】
図１に示すような雌ねじ部品１を製造するための好ましい一製造方法を、図２ａ〜図２ｃを参照しながら以下で説明する。
【００４４】
連結部７の中央部分、すなわち、雌ねじ部２０，２１間の周溝１２の溝底の部分の壁厚、つまり、その径方向の寸法は、周壁１５の最大の壁厚、すなわち、雌ねじ部２０，２１の領域の周壁１５の最大の壁厚の約２０％から約７０％である。
【００４５】
図２ａに示す第１の方法工程において、ブランク１３は、プレス加工（この例の場合、冷間プレス加工）によってスチール（鋼）から作製される。ブランク１３は、貫通孔として形成された開口部１４を有している。図示例とは別の実施形態において、開口部１４は、例えば有底孔として形成されてもよい。開口部１４およびブランク１３は、２つの内径部３，５に分けられていてもよく、図示の例示的な実施形態では、軸方向に互いに離れており、かつ、内径の寸法が互いに異なる。つまり、第２の内径部５の直径Ｄｆは、第１の内径部３の内径Ｄｋよりも大きい。第１の内径部３の第１の内径Ｄｋは、完成後の雌ねじ部品１の山径Ｄｋに相当する（図１を参照）。また、２つの内径部３，５は、開口部１４を画定する周壁１５の壁厚についても互いに異なる。第１の内径部３の領域の周壁１５の壁厚は、第２の内径部５の領域の周壁１５の壁厚よりも明らかに大きく、この例では、第２の内径部５の領域の周壁１５の壁厚の３倍超である。
【００４６】
好ましくは、第１の内径部３の周壁１５の壁厚、すなわち、径方向の寸法は、第２の内径部５の周壁１５の壁厚の約２０％から約７５％、より好ましくは約２５％から約７０％である。さらに好ましくは、第１の内径部３の領域の周壁１５の壁厚、すなわち、径方向の寸法は、第２の内径部５の周壁１５の壁厚の約３５％から約６０％である。なおいっそう好ましくは、第１の内径部３の周壁１５の壁厚は、第２の内径部５の周壁１５の壁厚のほぼ半分である。
【００４７】
図２ａに示すように、ブランク１３の内径部３と内径部５との軸方向の間には、内径Ｄｆから内径Ｄｋに連続的に減少する軸方向部１６が設けられる。すなわち、この場合、内径部３と内径部５との間の軸方向に、円錐状にテーパしてその内径が第２の内径部５から第１の内径部３にかけて減少する軸方向部１６が設けられる。さらに、図２ａの例示的な実施形態では、第１の内径部３の軸方向の寸法と軸方向部１６の軸方向の寸法とを加算したものが、ＤＭ／２、すなわち、ねじ山の有効径ＤＭ（図２ｂを参照）の半分に相当するものとされている。第２の内径部５の軸方向の寸法が、第１の内径部３の軸方向の寸法よりも大きく、この例の場合、第１の内径部３の軸方向の寸法のほぼ２倍である。
【００４８】
図２ｂに例示されているように、その次の方法工程では、図２ａのブランク１３の開口部１４に、例えば図２ｂに示されているような円筒状のマンドレル１７が挿入される。図示の例では、マンドレル１７の外径が、開口部１４における第１の内径部３の部分の内径Ｄｋにほぼ相当する。これにより、第１の内径部３の内周の周壁がマンドレル１７の外周に接触すると同時に、第２の内径部５（または第２の内径部の内周）とマンドレル１７の外周との間には径方向の比較的幅広な隙間が生じる。この自由空間は、その次の方法工程であるプレス加工時にこの領域に流動する周壁１５の材料によって満たされ、図２ｂに示す中間段階へと達する。この段階では、内径部３，５間に周溝が形成されており、かつ、同一の内径（この例では、（後の）山径Ｄｋ）も得られている。
【００４９】
次の方法工程では、互いに同一の内径を有する内径部３，５のそれぞれに、例えばねじ転造によって雌ねじ４，６が加工される。好ましくは、これらの雌ねじ４，６は、同一の動作で両方の内径部３，５に加工され、特には、共通の転造ローラによって加工される。このようにして、内径部３，５から、図１に示す雌ねじ部２０，２１が形成される。このように雌ねじが加工された雌ねじ部品は、そのままの状態では、雄ねじ部品に螺合させても所望の制動トルクを生じることができない。
【００５０】
図２ｂに示すように、２つの内径部３，５は、互いに同一の軸方向の寸法を有する。これら２つの内径部の周壁の壁厚も、互いに同一に形成される。図２ｂに示す部品は、鏡対称面Ｅに対して完全に対称であり、かつ、その両端部の接触面が互いに同一に形成されている。
【００５１】
セルフロック機能を得るために、雌ねじ部２０，２１は、さらなる方法工程において、相対的な調節、好ましくは、相対的な軸方向の調節および／または相対的なねじり加工を施される。特に好ましくは、前記相対的な調節は、互いの方向に向かう軸方向の調節のみからなる。その過程で、雌ねじ部２０，２１は、好ましくはピストンシリンダユニットを用いて、より好ましくは流体圧（油圧）ピストンシリンダユニットを用いて軸方向の所定の力に曝される。
【００５２】
図２ｃは、完成後の雌ねじ部品１を示す平面図である。図２ｃからは、その外周にスパナ用の二面ペア２（六角形駆動）（変形例として、他の駆動形状が使用されてもよい）が設けられており、かつ、貫通孔として形成された開口部１４において両方の内径部が互いに同一の山径Ｄｋを有することが明らかである。図２ｃには、さらに、ねじ山の有効径ＤＭ、および周溝１２の最大の内径Ｄｆが示されており、周溝１２のこの内径Ｄｆは、第２の内径部５における開口部１４の、当該第２の内径部５の加工前の内径に相当する（図２ａを参照）。また、図２ｃに、最大の外径Ｄｅおよび二面ペア２の幅Ｄｓを示す。
【００５３】
図３に、ねじ接続部１８を示す。ねじ接続部１８は、雌ねじ部品１の２つの雌ねじ部２０，２１が一緒に螺合した雄ねじ部品１９を含み、雌ねじ部２０，２１は、当該雌ねじ部品が一緒に螺合した際に制動トルク（保持トルク、ロックトルク）が作用するように互いに離されている（図１を参照）。図３の断面図から明白なように、内周の周溝１２は成形のみで形成されている。
【符号の説明】
【００５４】
１      雌ねじ部品
２      スパナ用の二面ペア
３      第１の内径部
４      第１の雌ねじ
５      第２の内径部
６      第２の雌ねじ
７      連結部
８      ねじ巻き
９      ねじ巻き終端部
１０    ねじ巻き
１１    ねじ巻き開始部
１２    周溝
１３    ブランク
１４    開口部
１５    周壁
１６    軸方向部
１７    マンドレル
１８    ねじ接続部
１９    雄ねじ部品
２０    第１の雌ねじ部
２１    第２の雌ねじ部
２２    接触面
２３    接触面
ａ      周壁の最大幅
Ｄｅ     ナットの外径
Ｄｆ     第２の内径
Ｄｋ     山径（第１の内径）
ＤＭ     ねじ山の有効径
Ｄｓ     二面ペアの幅
Ｅ      鏡対称面
【図１】
2012515651.tif 000003
【図２ａ】
2012515651.tif 000004
【図２ｂ】
2012515651.tif 000005
【図２ｃ】
2012515651.tif 000006
【図３】
2012515651.tif 000007
【国際調査報告】
2012515651.tif 000008
2012515651.tif 000009
2012515651.tif 000010
2012515651.tif 000011